(57)【要約】    【課題】  パーム果房などの原料を生産地などで熱分解して粗油を製造し、粗油を集めてバイオディーゼル燃料油を効率よく製造する分散製造システムを提供する。    【解決手段】  原料の生産地又は生産地近くの集荷場所に設けられ、原料を熱分解し熱分解ガスが抽出される熱分解槽（１１）、該熱分解槽の熱分解ガスから熱分解油を凝縮して粗油を製造する凝縮器（１３）、及び製造された粗油を貯留する粗油タンク（１）を備えた粗油製造設備（３０）と、生産地及び集荷場所と異なる精製場所に設けられ、移送された粗油を貯留する粗油タンク（１５）、粗油から中質油を蒸留する蒸留塔（１６）、及び中質油を精製する精製器（１７）を備えた燃料油精製設備（３１）と、粗油製造設備から燃料油精製設備に粗油を移送する粗油移送手段（３２）と、を備える。【選択図】  図１
2012057020.tif 000002
【特許請求の範囲】
【請求項１】
パーム果房、パーム果実、パーム粉末、パーム油、ココヤシの果実、ココナッツ油、ジャトロファの果実、植物性廃食用油、動物性廃食用油及びこれらの腐敗物の群から選ばれる１又は複数の原料を熱分解してバイオディーゼル燃料油を製造する分散製造システムであって、
上記原料の生産地又は生産地近くの集荷場所に設けられ、上記原料を熱分解し熱分解ガスが抽出される熱分解槽（１１、１００）、該熱分解槽（１１、１００）の熱分解ガスから熱分解油を凝縮して粗油を製造する凝縮器（１３）、及び製造された粗油を貯留する粗油タンク（１４）を備えた粗油製造設備（３０）と、
上記生産地及び集荷場所と異なる精製場所に設けられ、上記移送された粗油を貯留する粗油タンク（１５）、上記粗油から中質油を蒸留する蒸留塔（１６）、及び上記中質油を精製する精製器（１７）を備えた燃料油精製設備（３１）と、
上記粗油製造設備（３０）から燃料油精製設備（３１）に粗油を移送する粗油移送手段（３２）と、
を備えたことを特徴とするバイオディーゼル燃料油の分散製造システム。
【請求項２】
上記熱分解槽が丸型横型分解槽（１００）又は流動床構造の熱分解槽（１１）である請求項１記載のバイオディーゼル燃料油の分散製造システム。
【請求項３】
上記粗油移送手段がタンク車両（３２）である請求項１記載のバイオディーゼル燃料油の分散製造システム。
【請求項４】
粗油製造設備（３０）における熱分解槽（１１、１００）からの水蒸気を６００°Ｃ以上８００°Ｃ以下の温度に加熱し脱臭する燃焼炉を更に備え、過熱蒸気を含む高温燃焼ガスをボイラーの熱源又は発電機の駆動源に利用するようにした請求項１記載のバイオディーゼル燃料油の分散製造システム。
【発明の詳細な説明】
【技術分野】
【０００１】
本発明はバイオディーゼル燃料油の分散製造システムに関し、特にパーム果房などの原料を生産地などで熱分解して粗油を製造し、粗油を集めてバイオディーゼル燃料油を効率よく製造するようにした分散製造システムに関する。
【背景技術】
【０００２】
最近、化石燃料に代替されるバイオマスエネルギーが盛んに研究されているが、バイオマスエネルギーの中でバイオディーゼル燃料油（以下、単に「ＢＤＦ」ともいう）が、軽油代替燃料として注目されている。
【０００３】
ＢＤＦを製造する場合、動植物の油脂に、メタノールやアルカリ性化合物などを加えて６０°Ｃ〜２６０°Ｃの範囲内の温度でエステル交換反応を行わせることによりＢＤＦを製造する方法（特許文献１、特許文献２）、パーム油、大豆油、廃食物油などのオイルをエステル交換してＢＤＦを得る方法が提案されている。
【０００４】
また、植物油脂に炭酸ナトリウムや水酸化カリウムなどを添加して熱分解によって液状油を得る方法（非特許文献１）、ヒマワリ油に炭酸ナトリウムを加えて４００°Ｃ又は４２０°Ｃで熱分解して熱分解油を製造する方法（非特許文献２）、パーム油を熱分解してディーゼル燃料に近い性状の燃料油を製造する方法（非特許文献３）、油脂原料を取り除いたオイルパーム空房や油脂が搾取された果実の外皮に対し、アルカリ触媒を用いて熱分解油を得る方法（非特許文献４、非特許文献５）、が提案されている。
【０００５】
さらに、アルカリ性化合物の存在下、パーム果房、パーム果実、パーム粉末、パーム油、ココヤシの果実、ココナッツ油、ジャトロファの果実、これらの腐敗物（以下、これらを単に「原料」ともいう）の熱分解を行わせ、得られた熱分解中質油から低粘性で低流動点、かつ高セタン価の燃料油を得るようにしたＢＤＦの製造方法が提案されている（特許文献３）。
【０００６】
特許文献３記載のＢＤＦの製造方法（以下、単に「アルカリ熱分解法」ともいう）では得られた燃料油の粘性はエステル交換法に比して低く、流動性がよく目詰まりを起こし難いＢＤＦを製造することができる。
【先行技術文献】
【特許文献】
【０００７】
【特許文献１】特開２００５−２９７１５号公報
【特許文献２】特開２００８−８１７３０号公報
【特許文献３】特開２０１０−１４００号公報
【非特許文献】
【０００８】
【非特許文献１】Fuel Processing Technology, 1998年, No.57, p81-92
【非特許文献２】J.Anal. Appl. Pyrolysis, 2004,No.71, p.987-996
【非特許文献３】Energy Sources, Part A, 2008年6 月1 日, Vol.30, No.9, p.1060-1064
【非特許文献４】社団法人資源・素材学会春季大会講演集（II) 素材編，2006年, p.1-12
【非特許文献５】Energy Sources, 2000年, Vol.22, No.7, p.631-639
【発明の開示】
【発明が解決しようとする課題】
【０００９】
しかし、従来のアルカリ熱分解法ではパーム果房などの原料は６５重量％以上が水分であるにもかかわらず、原料を生産地から熱分解・精製設備のある場所まで輸送して処理しなければならず、輸送に無駄が多くなるばかりでなく、原料から生ずる大量の廃水を処理しなければならず、コスト高になるという問題があった。
【００１０】
本発明はかかる点に鑑み、輸送を効率よく行うことができ、しかもＢＤＦの製造現場において廃水の問題が起こることがないようにした製造システムを提供することを課題とする。
【課題を解決するための手段】
【００１１】
そこで、本発明に係るバイオディーゼル燃料油の分散製造システムは、パーム果房、パーム果実、パーム粉末、パーム油、ココヤシの果実、ココナッツ油、ジャトロファの果実、植物性廃食用油、動物性廃食用油及びこれらの腐敗物の群から選ばれる１又は複数の原料を熱分解してバイオディーゼル燃料油を製造する分散製造システムであって、上記原料の生産地又は生産地近くの集荷場所に設けられ、上記原料を熱分解し熱分解ガスが抽出される熱分解槽、該熱分解槽の熱分解ガスから熱分解油を凝縮して粗油を製造する凝縮器、及び製造された粗油を貯留する粗油タンクを備えた粗油製造設備と、上記生産地及び集荷場所と異なる精製場所に設けられ、上記移送された粗油を貯留する粗油タンク、上記粗油から中質油を蒸留する蒸留塔、及び上記中質油を精製する精製器を備えた燃料油精製設備と、上記粗油製造設備から燃料油精製設備に粗油を移送する粗油移送手段と、を備えたことを特徴とする。
【００１２】
本発明の特徴の１つは原料の生産地又は集荷場所には熱分解油（粗油）の製造設備を設けて、水分を除去した粗油を製造し、粗油を原料の生産地又は集荷場所と異なる精製場所に移送して大量の粗油を精製してＢＤＦを製造するようにした点にある。
【００１３】
これにより、パーム果房などの原料の生産地又は集荷場所で原料の含有水分を処理すればよく、廃水が大量に出ることはないので、比較的容易に廃水を処理できる。
【００１４】
また、生産地や集荷場所においては原料の熱分解によって熱分解油を製造すればよいので、生産地や集荷場所における粗油製造設備の運転には高い技術力を必要とせず、安定した運転を確実に行うことができる。
【００１５】
生産地や集荷場所から精製場所までは水分を除去した熱分解油を移送すればよいので、無駄な移送を行う必要がなく、移送コストを大幅に低減できる。しかも、精製場所で大量の廃水が出ず、廃水処理の問題が起こることはない。
【００１６】
また、精製場所にて専門的技術力を必要とする熱分解油の精製を行うようにしたので、熱分解油の精製を安定かつ確実に行うことができる。その結果、燃料油の粘性及び流動点が低く、しかもセタン価が高く、寒冷地における使用が可能となったＢＤＦを効率よく製造することができる。
【００１７】
本発明では燃料油の原料にはパーム果房、パーム果実、パーム粉末、パーム油、ココヤシの果実、ココナッツ抽、ジャトロファの果実、植物性廃食用油、動物性廃食用油及びこれらの腐敗物を用いるが、特にパーム果房及びその腐敗物を主原料として燃料油を製造するのに適している。パーム果房などの腐敗物は生産地において廃棄されていたが、本発明によれば腐敗物を原料として利用することができ、その有用性は大きい。
【００１８】
植物性廃食用油には例えば大豆油、菜種油、ひまわり油、綿実油、胡麻油、落花生油、椿油等の植物性油脂の使用済み廃油を挙げることができ、又動物性廃食用油には牛脂、豚脂、馬脂、魚油、鯨油等の動物性油脂の使用済み廃油を挙げることができる。
【００１９】
また、従来は廃棄されていた廃食用油をＢＤＦの原料として用いることができるので、省資源の観点からも環境上の観点からも大きなメリットがあり、極めて有用である。
【００２０】
熱分解中質油はそのままでは酸価（ｍｇＫＯＨ／ｇ）値が高い。そこで、本発明では熱分解中質油からバイオディーゼル燃料油を溶媒抽出する。溶媒によって不純物を除去すると適切な酸価にすることができ、又臭気も低減することができる。溶媒抽出は２回以上行ってもよい。複数回行うことにより、酸価をより改善できる。
【００２１】
上述の溶媒としては例えばメタノールやエタノールなどのアルコール類、アセトンなどのケトン類、ジメチルエーテルなどのエーテル類を挙げることができるが、抽出効果が高く、入手し易い点からもアルコール類が好ましい。
【００２２】
抽出方法は例えば熱分解中質油と溶媒とを十分に混合した後静置し、不純物を含む溶媒層を分離することにより燃料油を抽出することができる。不純物を含む溶媒は溶媒のみを蒸発させて不純物を分離し、再利用するのがよい。
【００２３】
また、溶媒抽出に代え、水素ガス添加反応によって熱分解中質油を精製するようにしてもよい。すなわち、熱分解中質油を２６０°Ｃ〜４２７°Ｃの範囲内の温度に予熱した後、水素ガスとともに反応塔に送り、反応塔で３．５ｋｇ／ｃｍ2 ・ｇ〜５６ｋｇ／ｃｍ2 ・ｇの圧力で、再生可能な金属酸化物の触媒の存在下で反応させると、色相及び酸化安定性が向上し、不純物が減少し、臭いを改善することができる。得られた燃料油から水素を分離し、水素ガスは再使用する。ジャトロファを原料とするＢＤＦの場合、水素ガス添加反応による精製の方が溶媒抽出による精製よりもＢＤＦ中の硫黄分が少なくなるので、好ましい。
【００２４】
熱分解槽からの水蒸気は６００°Ｃ以上（好ましくは８００°Ｃ以下）の温度の燃焼炉（脱臭炉）に２〜３秒の間滞留させて加熱脱臭し、過熱蒸気を多く含む高温燃焼ガスはボイラーの熱源や発電機の駆動源に利用することができ、これにより廃熱を有効に活用することができるばかりでなく、電力設備の乏しい地域に電気を供給することができ、有用である。
【００２５】
また、熱分解残渣はカーボンを多量に含むので、自家燃料や活性炭原料、高付加価値炭素材料として利用することができ、又熱分解残渣を自家燃料として利用する場合、その排ガスはボイラーの熱源に利用することができる。
【００２６】
また、熱分解残渣には活性白土や生石灰が含まれているので、残った灰には有用なアルカリ成分が含有されており、肥料に最適である。
【００２７】
さらに、蒸留後の軽質油や重質油は自家燃料として利用することができる。
【図面の簡単な説明】
【００２８】
【図１】本発明に係るバイオディーゼル燃料油の分散製造システムの好ましい実施形態を示す概念図である。
【図２】上記実施形態における水素化精製器の１例を示す構成図である。
【図３】他の実施形態における丸型横型熱分解槽を示す側面図である。
【図４】上記丸型横型熱分解槽を示す正面図である。
【発明を実施するための最良の形態】
【００２９】
以下、本発明を図面に示す具体例に基づいて詳細に説明する。図１及び図２は本発明に係るバイオディーゼル燃料油の分散製造システムの好ましい実施形態を示す。本例の分散製造システムはパーム果房などの原料の生産地又は生産地近くの集荷場所に設けられる複数の粗油製造設備３０、生産地及び集荷場所と異なる精製場所に設けられる大規模燃料油精製設備３１、及び粗油製造設備３０から燃料油精製設備３１に熱分解油（粗油）を移送するタンク車両（粗油移送手段）３２とから構成される。
【００３０】
粗油製造設備３０において、１０はパーム果房、パーム果実、パーム粉末、パーム油、ココヤシの果実、ココナッツ油、ジャトロファの果実、植物性廃食用油、動物性廃食用油、及びこれらの腐敗物の群から選ばれる１又は複数の原料を粗破砕する破砕機である。
【００３１】
また、１１はパーム果房などの原料を熱分解する流動床構造の熱分解槽で、炉床には流動砂１１Ａが満たされるとともに、炉床に高温水蒸気が供給されることによって流動砂１１Ａが加熱されるとともに流動され、槽底からは熱分解残渣が排出スクリューなどによって流動砂１１Ａの一部とともに排出され、排出された流動砂１１Ａは焼却されて再生され、生石灰と活性白土とが添加され混合されて槽内に戻されるようになっている。
【００３２】
また、１２は熱分解槽１１から熱分解ガスを抽出するサイクロン、１３は凝縮器を備えた熱分解油受槽、１４は熱分解油を貯留する粗油タンクである。
【００３３】
燃料油精製設備３１において、１５は各地の粗油製造設備３０から移送された熱分解油を貯留する粗油タンク、１６は熱分解油を蒸留して中質油を軽質油及び重質油から分離する蒸留塔、１７は中質油からＢＤＦを精製する精製器、１９は重質油を加熱する加熱器である。
【００３４】
パーム果房などの原料の生産地や集荷場所に設けられた粗油製造設備３０では、熱風炉（図示せず）などで７００°Ｃ〜１０００°Ｃの範囲内の高温水蒸気を生成し、熱分解槽１１の槽底から槽内に供給すると、生石灰及び活性白土が混合された炉床の流動砂１１Ａが流動されるとともに加熱される。このとき、熱分解槽１１の槽内は常圧に保持する。生石灰の投入量は原料に対して５〜１５重量％とする。活性白土の添加量は未分解油に対して３〜１０重量％とする。
【００３５】
他方、パーム果房及びその腐敗物を主原料として準備する。必要に応じて、パーム果実、パーム粉末、パーム油、ココヤシの果実、ココナッツ油、ジャトロファの果実、植物性廃食用油、動物性廃食用油及びこれらの腐敗物の１又は複数を副原料として準備することができる。これらの原料を破砕機１０で粗破砕する。
【００３６】
粗破砕した原料は熱分解槽１１内に連続的（又は一定時間ごと）に所定量ずつ投入する。投入された原料は流動砂１１Ａとともに流動されながら加熱され、４００°Ｃ〜５５０°Ｃの範囲内の温度に達すると、原料は熱分解される。熱分解ガスはサイクロン１２によって熱分解槽１１から抽出され、熱分解油受槽１３の凝縮器で熱分解油が凝縮されて熱分解油受槽１３で受けられ、粗油タンク１４に貯留される。また、熱分解油が凝縮された後の熱分解ガスは凝縮器（図示せず）でさらに凝縮して凝縮水と軽質油を分離し、軽質油は自家燃料として利用することができる。
【００３７】
各地の粗油タンク１４に熱分解油が所定量貯留されると、タンク車両３２が各地の粗油製造設備３０を巡回して貯留された熱分解油を回収し、燃料油精製設備３１に移送して燃料油精製設備３１の粗油タンク１５に貯留する。
【００３８】
粗油タンク１５に所定量の熱分解油が貯留されると、熱分解油をポンプによって蒸留塔１６に送って蒸留し、沸点１５０°Ｃ以上の中質油を沸点１５０°Ｃ以下の軽質油及びＷＡＸ分を含む重質油から分離し、精製器１７に送り、水素ガス添加反応によって不純物を除去する。
【００３９】
熱分解中質油から不純物が除去されると、ワックス留分の少ない低粘性、低流動点で、しかも高セタン価の良質の燃料油ＢＤＦが得られる。蒸留塔１６の塔底のＷＡＸ分を含む重質油は加熱器１９で加熱して蒸留塔１６に戻され、再度蒸留される。
【００４０】
槽底の流動砂１１Ａには熱分解残渣が付着する。この熱分解残渣は排出スクリューなどによって流動砂１１Ａの一部とともに連続的（又は一定時間ごと）に槽外に排出され、排出された流動砂１１Ａは焼却炉で焼却されて再生され、生石灰及び活性白土が所定量だけ混合されて熱分解槽１１の炉床に戻される。
【００４１】
また、熱分解残渣は自家燃料、活性炭原料、肥料、製鋼保温材として利用することができる。
【００４２】
図２は上記実施形態において、水素ガス添加反応によって中質油を精製する水素化精製器１７の構成の１例を示す。蒸留塔１６を出た中質油には水素ガスが添加され、加熱器２０で２６０°Ｃ〜４２７°Ｃの範囲内の温度、例えば４２０°Ｃに加熱された後、反応塔２１に送られる。
【００４３】
反応塔２１では中質油と水素ガスとが３．５ｋｇ／ｃｍ2 ・ｇ〜５６ｋｇ／ｃｍ2 ・ｇの圧力、再生可能な金属酸化物の触媒の存在下で反応し、色相及び酸化安定性が向上し、不純物が減少し、臭いを改善した中質油が得られる。この中質油を冷却器２２で冷却した後、分離槽２３に送って水素ガスを分離する。
【００４４】
水素ガス分離後の中質油を加熱して接触槽２４で蒸気と接触させ、蒸気は冷却して分離器２５でガスと水とに分離される。蒸気と接触された中質油は冷却器２６で冷却され、ワックス留分の少ない低粘性、低流動点で、高セタン価の良質のＢＤＦが得られる。
【００４５】
なお、上記の例では精製器として水素ガス添加反応によって熱分解中質油を精製する水素化精製器１７を用いたが、溶媒抽出によって熱分解中質を精製する精製器を用いることもできる。
【００４６】
溶媒としては例えばメタノールやエタノールなどのアルコール類、アセトンなどのケトン類、ジメチルエーテルなどのエーテル類を挙げることができるが、抽出効果が高く、入手し易い点からもアルコール類が好ましい。
【００４７】
抽出方法は例えば熱分解中質油と溶媒とを十分に混合した後静置し、不純物を含む溶媒層を分離することにより燃料油を抽出することができる。不純物を含む溶媒は溶媒のみを蒸発させて不純物を分離し、再利用するのがよい。
【００４８】
図３及び図４は第２の実施形態を示す。本例では流動床構造の熱分解槽に代え、丸型横型熱分解槽を用いる例を示す。丸型横型熱分解槽１００は図３及び図４に示されるように、横長円筒状の槽本体１１０を有し、槽本体１１０の長手方向の一端には扉１１０Ｂによって密閉可能な原料の主投入口１１０Ａが形成され、槽本体１１０内には受皿１２０が主投入口１１０Ａから装入され、受皿１２０には熱分解原料と、生石灰と活性白土とが搭載されるようになっている。
【００４９】
また、槽本体１１０の上部には熱分解油のガスを抽出する抽出口１１０Ｃと副投入口１１０Ｄとｗａｘ投入口１１０Ｅが形成され、抽出口１１０Ｃには生石灰１５０が配置され、熱分解油ガスが生石灰１５０を通して抽出されるようになっている。酸性物質は原料への直接添加と抽出口１１０Ｃの２段階でキャッチされる。
【００５０】
また、副投入口１１０Ｄからは原料を受皿１２０上に追加投入でき、又ｗａｘ投入口１１０Ｅからｗａｘを受皿１２０上に戻すことができるようになっている。
【００５１】
触媒には生石灰と活性白土が使用されている。石灰の添加量は塩素に対して理論量の１．２〜２倍程度、ＰＥＴ樹脂１ｍｏｌに対して１〜１０ｍｏｌとする。活性白土の添加量は原料に対して２〜１０ｗｔ％とする。
【００５２】
また、槽本体１１０の外側は加熱炉１３０によって覆われ、加熱炉１３０には燃焼炉（図示せず）が接続され、燃焼炉は熱分解油ガスなどを燃料とし、約１０００°Ｃの燃焼ガスを加熱炉１３０に供給し、約８００°Ｃまで低下した燃焼ガスが排出され、受皿１２０上の原料を５００°Ｃ程度まで加熱できるようになっている。
【００５３】
さらに、槽本体１１０内には加熱管１４０が槽本体１１０内に延びて設けられ、約８００°Ｃの高温ガスが流通されて受皿１２０上の原料を５００°Ｃ程度まで加熱できるようになっている。この加熱管１４０は処理する原料によって高温燃焼ガスによる間接加熱や高温蒸気等の直接吹込みに代えることができる。
【００５４】
原料を熱分解する場合、原料を生石灰と活性白土とともに受皿１２０上に搭載する。原料は通常無破砕のままとする。この受皿１２０を主投入口１１０Ａから槽本体１１０内に装入し、扉１１０Ｂによって主投入口１１０Ａを閉鎖する。
【００５５】
次に、槽本体１１０の外側から加熱炉１３０によって受皿１２０上の原料を加熱するとともに、槽本体１１０の内側から加熱管１４０によって受皿１２０上の原料を加熱する。原料が４００°Ｃ程度まで昇温すると、原料が溶融し、４００°Ｃ〜４５０°Ｃの温度で熱分解が起こる。
【００５６】
熱分解が起こると、熱分解ガスが生成され、熱分解ガスは抽出口１１０Ｃから生石灰１５０を通して槽外に抽出される。
【００５７】
このとき、受皿１２０上の原料には生石灰と活性白土が添加されているので、熱分解反応の温度が下がり、コーキングの生成が少なく、又蒸気生成のための燃料費が少なく、更には熱分解生成油が軽質化し、臭いが改善し、ＷＡＸ量も少なくなる。
【００５８】
受皿１２０上の原料が溶融して容積が少なくなると、副投入口１１０Ｄから原料を追加投入することができる。追加投入する原料も無破砕とするが、副投入口１１０Ｄから投入できるように圧縮しておくのがよい。
【００５９】
熱分解が済むと、受皿１２０上の温度を４５０°Ｃ〜５００°Ｃに昇温させ、受皿１２０上の熱分解残渣の焼き絞めを行う。その後、槽本体１１０内に低圧蒸気を導入して槽本体１１０内を冷却し、最後に受皿１２０を槽本体１１０から引き出し、残渣を廃棄するとともに、受皿１２０を洗浄し、槽本体１１０内に空気をパージし、低圧蒸気によって槽本体１１０内壁を洗浄する。
【００６０】
１バッチ１２時間運転とすると、運転スケジュールは例えば、槽本体１１０内の昇温（２０〜４００°Ｃ）：２．５時間、熱分解：５時間、残渣焼き絞め：１時間、冷却：２時間、残渣処理、原料投入及び系内空気パージ：１．５時間とすることができる。つまり、１系列で２バッチ／日運転が可能となる。２系列設けると、４バッチ／日の運転が可能である。
【００６１】
一方の丸型横型熱分解槽１００の運転が済むと、他方の丸型横型熱分解槽１００をバッチ運転する。作業は上記と同様である。
【００６２】
上述のように、丸型横型熱分解槽１００から熱分解ガスが抽出されると、熱分解油を凝縮して粗油タンクに貯留し、後は第１の実施形態と同様にして燃料油精製設備まで移送されて精製される。
【符号の説明】
【００６３】
１１      熱分解槽
１３      凝縮器付き熱分解油受槽
１４      粗油タンク
１５      粗油タンク
１６      蒸留塔
１７      精製器
３０      粗油製造設備
３１      燃料油精製設備
３２      タンク車両（粗油移送手段）
【図１】
2012057020.tif 000003
【図２】
2012057020.tif 000004
【図３】
2012057020.tif 000005
【図４】
2012057020.tif 000006